(57)【要約】【課題】ブローヘッドの装着およびブローヘッド取り付け部材からのブローヘッドの取り外しを容易にするために使用されるブローヘッド取り付け構成を提供すること。【解決手段】前記ブローヘッドは、第２の係合部材に取り外し可能に係合する第１の係合部材を有し、前記ブローヘッドを前記ブローヘッド取り付け部材に取り外し可能に取り付ける。一旦係合されると、前記ブローヘッドは、前記ブローヘッドを固定位置に回転させることによって前記ブローヘッド取り付け部材に保持され、前記ブローヘッドは、それが固定用機構によって反対方向に回転させられるまで保持される。【選択図】図１
2014224031.tif 000002
【特許請求の範囲】
【請求項１】
複数のブローヘッドが装着されるブローヘッドアームと共に使用するためのブローヘッド取り付け構成であって、
前記ブローヘッドの上部に位置した第１の係合部材を有するブローヘッドと、
前記ブローヘッドアームの下に位置した第２の係合部材と
を備え、
前記第１の係合部材および前記第２の係合部材が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、
前記ブローヘッドの前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記ブローヘッドの前記第１の係合部材が前記第２の係合部材に固定されることを可能にするようにそれぞれ構成および配置され、
前記ブローヘッド取り付け構成が、前記第２の係合部材に対して前記第２の回転位置で前記ブローヘッドを取り外し可能に保持する保持機構
をさらに備える、ブローヘッド取り付け構成。
【請求項２】
前記ブローヘッドの前記第２の回転位置が、前記ブローヘッドの前記第１の回転位置から９０度である、請求項１に記載のブローヘッド取り付け構成。
【請求項３】
前記第１の係合部材が、
ブローヘッドネックによって前記ブローヘッドに接続されたブローヘッド取り付け要素を備え、
前記第２の係合部材が、
中空内部部分を有する固定リング部材を備え、一対の対向した係合フランジが前記固定リング部材の底に位置すると共にそれらの間に開口部を画定する、
請求項１に記載のブローヘッド取り付け構成。
【請求項４】
前記保持機構が、
前記ブローヘッドが前記第２の回転位置にあるときに、前記固定リング部材に対しての前記ブローヘッド取り付け要素の回転を止めるまたは回転に抵抗する戻り止め機構を備える、
請求項３に記載のブローヘッド取り付け構成。
【請求項５】
前記保持機構が、
前記ブローヘッド取り付け要素に位置する第１の保持機構と
前記固定リング部材に位置する第２の保持機構と
を備える、請求項３に記載のブローヘッド取り付け構成。
【請求項６】
前記第１の保持部材および前記第２の保持部材の一方が、
少なくとも１つの戻り止め凹所を備え、
前記第１の保持部材および前記第２の保持部材の他方が、
前記戻り止め凹所に選択的に係合する少なくとも１つの戻り止め係合部材を備える、
請求項５に記載のブローヘッド取り付け構成。
【請求項７】
前記少なくとも１つの戻り止め凹所が、前記ブローヘッド取り付け要素に位置し、前記少なくとも１つの戻り止め係合部材が、前記固定リング部材に位置する、請求項６に記載のブローヘッド取り付け構成。
【請求項８】
前記少なくとも１つの戻り止め凹所が前記固定リング部材に位置し、前記少なくとも１つの戻り止め係合部材が前記ブローヘッド取り付け要素に位置する、請求項６に記載のブローヘッド取り付け構成。
【請求項９】
前記ブローヘッド取り付け要素に位置する前記第１の保持機構が、
前記ブローヘッド取り付け要素の両側から延びる一対の固定用フランジを備え、
前記固定リング部材に位置する前記第２の保持機構が、
前記固定リング部材中の前記対向した係合フランジにそれぞれ位置する一対の戻り止め凹所を備え、前記ブローヘッドが、前記第２の係合部材に対して前記第２の回転位置にあるときに、前記戻り止め凹所が、前記固定用フランジに係合するように構成される、
請求項５に記載のブローヘッド取り付け構成。
【請求項１０】
前記固定リング部材が、上側固定リング部材および下側固定リング部材を備え、前記上側固定リング部材と前記下側固定リング部材の間に前記中空内部部分を画定し、前記対向した係合フランジが、前記下側固定リング部材の底に位置し、前記保持機構が、
前記上側固定リング部材を前記下側固定リング部材内で前記対向した係合フランジに向かって付勢するばね部材
をさらに備える、請求項９に記載のブローヘッド取り付け構成。
【請求項１１】
前記ブローヘッド取り付け要素の前記固定用フランジの両側が、その底側で角度が付けられていて、前記ブローヘッド取り付け要素が、前記第２の係合部材に対して前記第１の回転位置から前記第２の係合部材に対して前記第２の回転位置に向かって初めに回転させられるときに前記固定用フランジが、前記固定リング部材中の前記対向した係合フランジによって係合されることを容易にする、請求項９に記載のブローヘッド取り付け構成。
【請求項１２】
前記ブローヘッド取り付け要素が、前記ブローヘッド取り付け要素の両側から延びる一対の固定用フランジを備え、前記ブローヘッド取り付け要素に位置する前記第１の保持機構が、
遠位端で前記固定用フランジの上側にそれぞれ位置する一対の戻り止め凹所を備え、
前記固定リング部材に位置する前記第２の保持機構が、
前記固定リング部材に位置する戻り止め凹所に後退可能に存在する一対のディティントボールを備え、前記ブローヘッドが、前記第２の係合部材に対して前記第２の回転位置にあるときに、前記ディティントボールおよび前記凹所が、前記戻り止め凹所に係合するように配置および構成される、
請求項５に記載のブローヘッド取り付け構成。
【請求項１３】
前記保持機構が、
前記ディティントボールを下側固定リング部材内で前記対向した係合フランジに向かって付勢するばね部材
をさらに備える、請求項１２に記載のブローヘッド取り付け構成。
【請求項１４】
前記ブローヘッド取り付け要素の前記固定用フランジの両側が、その前記上側で角度が付けられていて、前記ブローヘッド取り付け要素が、前記第２の係合部材に対して前記第１の回転位置から前記第２の係合部材に対して前記第２の回転位置に向かって回転させられるときに、前記ブローヘッド取り付け要素の前記固定用フランジが、前記ディティントボールに係合し、前記ディティントボールを後退させるのを容易にする、請求項１２に記載のブローヘッド取り付け構成。
【請求項１５】
前記ブローヘッドが前記第２の係合部材に対して前記第２の回転位置を越えて回転するのを妨げる制限部材
をさらに備える、請求項１に記載のブローヘッド取り付け構成。
【請求項１６】
複数のブローヘッドが装着されるブローヘッドアームと共に使用するためのブローヘッド取り付け構成であって、
前記ブローヘッドの上部でそこに接続されたブローヘッド取り付け要素を有するブローヘッドであって、前記ブローヘッド取り付け要素が、その両側から延びる一対の固定用フランジを有するブローヘッドと、
各スライダの底に位置する固定リング部材であって、中空内部部分、および間に開口部を画定する前記固定リング部材の底に位置する一対の対向した係合フランジを有する固定リング部材と
を備え、
固定用フランジを有する前記ブローヘッド取り付け要素、および前記固定リング部材の前記係合フランジ間の開口部が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、
前記ブローヘッド取り付け要素の前記固定用フランジが前記固定リングの前記中空内部部分に収容されているまま、前記ブローヘッド取り付け要素の前記固定用フランジおよび前記固定リング部材の前記係合フランジが、前記ブローヘッドが、前記第２の係合部材に対して前記第１の回転位置からロッキングリングに対して第２の回転位置へ回転させられているときに、前記ブローヘッド取り付け要素が前記ロッキングリングに固定されることを可能にするようにそれぞれ構成および配置され、
前記固定リングに対して前記第２の回転位置で前記ブローヘッドの回転を解除可能に止めるまたは回転に抵抗する戻り止め機構をさらに備える、ブローヘッド取り付け構成。
【請求項１７】
ブローヘッドをブローヘッドアームへ取り外し可能に取り付けるブローヘッド取り付け構成であって、
ブローヘッドの上部に位置した第１の係合部材と、
前記ブローヘッドアームの下に位置した第２の係合部材と
を備え、
前記第１の係合部材および前記第２の係合部材が、前記ブローヘッドが前記第２の係合部材に対して第１の回転位置にあるときに、前記第１の係合部材が前記第２の係合部材に収容される、または前記第２の係合部材から取り出されることを可能にするようにそれぞれ構成および配置され、
前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記第１の係合部材を前記第２の係合部材に保持するようにそれぞれ構成および配置されるブローヘッド取り付け構成。
【請求項１８】
ブローヘッドをブローヘッドアームへ取り付ける方法であって、
前記ブローヘッドの上部に位置した第１の係合部材を用意するステップと、
前記ブローヘッドアームの下に位置した第２の係合部材を用意するステップと、
前記第２の係合部材に対して前記ブローヘッドが第１の回転位置にある状態で、前記ブローヘッドの前記第１の係合部材を前記第２の係合部材に挿入するステップと、
前記第２の係合部材に対して前記第１の回転位置から前記第２の係合部材に対して第２の回転位置へ前記ブローヘッドを回転させる一方、前記ブローヘッドの前記第１の係合部材が、前記第２の係合部材に収容されるステップと、
保持機構を用いて前記第２の係合部材に対して前記第２の回転位置で前記ブローヘッドを取り外し可能に保持するステップと、
前記保持機構を選択的に係合解除し、前記第２の係合部材に対して前記第２の回転位置から前記第２の係合部材に対して前記第１の回転位置へ前記ブローヘッドを回転させるステップと、
前記ブローヘッドが前記第２の係合部材に対して前記第１の回転位置にある状態で、前記ブローヘッドの前記第１の係合部材を前記第２の係合部材から取り出して、前記ブローヘッドを前記第２の係合部材から係合解除するステップと
を含む方法。
【請求項１９】
前記第１の係合部材が、ブローヘッドネックによって前記ブローヘッドに接続されたブローヘッド取り付け要素を含み、前記第２の係合部材が、中空内部部分を有する固定リング部材を含み、一対の対向した係合フランジが前記固定リング部材の底に位置すると共にそれらの間に開口部を画定し、前記取り外し可能に保持するステップが、
前記ブローヘッドが前記第２の回転位置にあるときに、戻り止め機構を用いて前記固定リング部材に対しての前記ブローヘッド取り付け要素の回転を止めるまたは回転に抵抗するステップを含む、
請求項１８に記載の方法。
【請求項２０】
前記取り外し可能に保持するステップが、
前記第１の係合部材に位置する第１の保持機構を用意するステップと、
前記第２の係合部材に位置する第２の保持機構を用意するステップと
を含み、
前記第１の保持機構および前記第２の保持機構の一方が、
少なくとも１つの戻り止め凹所を備え、
前記第１の保持機構および前記第２の保持機構の他方が、
前記戻り止め凹所に選択的に係合する少なくとも１つの戻り止め係合部材を備える、
請求項１８に記載の方法。
【発明の詳細な説明】
【技術分野】
【０００１】
[0001]本発明は、一般に、ブローヘッドをＩＳマシンのブローヘッドアームに取り付けることに関し、より詳細には、係合部材をブローヘッドおよびブローヘッド取り付け構成へそれぞれ係合し、ブローヘッド取り付け構成に対してブローヘッドを回転させることによってブローヘッドの装着およびブローヘッドアームに接するブローヘッド取り付け部材からのブローヘッドの取り外しを容易にするブローヘッド取り付け構成に関する。
【背景技術】
【０００２】
[0002]炉からの溶融ガラスは、典型的には、個別セクション（「ＩＳ」）マシン内で実行される効率的で大規模な商用製造プロセスでガラス容器の中に形成され、このＩＳマシンは、５個から１２個の同一のセクションを含み、各セクションは同時に１つ、２つ、３つまたは４つの容器を作製することができる。溶融ガラスの流れは、溶融ガラスの流れが流れ出る炉によって与えられる。溶融ガラスの流れは、せん断機構を用いて「ゴブ」と呼ばれるガラスの均一なセグメントに切断され、ゴブは、重力により落下し、スクープ、トラフ、およびディフレクタからなるゴブ送り出し機構を通じて空の金型に案内される。
【０００３】
[0003]各空の金型では、金属プランジャを用いてガラスを空の金型に押し込むことによって、または下から空の金型にガラスを吹き込むことによって、パリソンと呼ばれるプリコンテナが形成される。次いで、ホットパリソンは逆さにされ、吹込成形用金型へ移され、そこでパリソンは容器の形状に吹き込まれ、次いでそこでパリソンは把持されるのに十分に堅くなる点まで冷却され、ブローステーションから取り出される。
【０００４】
[0004]全てのＩＳマシンは、一列に並んで位置する１つから４つの空の金型、および等しい個数の吹込成形用金型を有し、この空の金型は、セクションの一方の側（後側）に位置し、吹込成形用金型の全部は、セクションの反対側（前側）に位置する。複数のセクションは、互いに近く隣接して位置しており、セクションごとの空の金型および吹込成形用金型の直線配列は、他方のセクション内の空の金型および吹込成形用金型の直線配列と平行となるように設けられる。
【０００５】
[0005]各セクションの動作は、ガラスのゴブが空の金型の中に降ろされることから開始し、バッフルが空の金型の上部に配置され、ガラスのゴブが、逆さまであるパリソンに吹き込まれる。バッフルが取り除かれ、空の金型の両半体が開かれ、セクション内のパリソンの全部が、ネックリングアームによって１８０度の弧を描いて振り回されて、それらを逆さまにし、かつ吹込成形用金型の位置へ移動する。パリソンは、吹込成形用金型内のガラス容器に吹き込まれ、空気がパリソンの口（ｆｉｎｉｓｈ）にそれぞれ位置するブローヘッドを通じて供給され、次いで、吹かれたパリソンは、吹込成形用金型を冷却し、およびブローヒア（ｂｌｏｗ  ｈｅａｒ）に位置する吹込管を通じて吹かれたパリソンに流れ込む冷却用空気を供給することによって把持されるのに十分に堅くなる点まで冷やされ、たるむまたは他の形で変形することなく取り出し機構によってブローステーションから取り出される。次いで、ガラス容器は、セクションから取り除かれ、コンベヤの上に置かれ、コンベヤによってガラス容器をＩＳマシンから取り出す。
【０００６】
[0006]本発明の中心は、ブローヘッドにあり、このブローヘッドは、ブローステーションにおいて吹込成形用金型の上部の位置に運ばれてパリソンの口に係合し、このブローヘッドは、ブローヘッドから下方に延びてパリソンの上端でパリソンの内部に入る吹込管を通じて圧力によって（「最終吹込み」空気と呼ばれる）空気を供給し、パリソンを吹いて吹込成形用金型の内部に接触させ、それによって吹込成形用金型の内部の形態を有する吹かれたパリソンを生成する。吹込成形用金型はブローヘッド取り付け部材に取り付けられ、ブローヘッド取り付け部材はスライダの底に位置し、スライダはブローヘッドアームにそれぞれ取り付けられ、それらが最終吹込み過程中にパリソンの口に接触するときに、ブローヘッドに圧力を加えるように下向きに付勢される。
【０００７】
[0007]異なる容器が製造されるときにブローヘッドを変更する必要があるので、ブローヘッドは、ブローヘッド取り付け部材から取り外し可能である。典型的には、ブローヘッド取り付け部材からブローヘッドを取り外すために、工具を使用してブローヘッドをブローヘッド取り付け部材上に保持する固定用ピンを取り外すことが必要である。固定用ピン、次いでブローヘッドを取り外すために、マシン操作者は、上半身全体をセクションの中に曲げなければならない。したがって、ブローヘッドの取り外しおよび別のブローヘッドの装着は、望まれ得るほど簡単ではないことが理解できよう。
【０００８】
[0008]さらに、固定用ピンを用いてブローヘッド取り付け部材に保持されるブローヘッドは、ブローヘッド機構の往復運動中に振動する傾向があり、ブローヘッドの摩耗を引き起こす。加えて、ブローヘッド取り付け部材に対するブローヘッドの緩みにより、あるセクションにおける複数のブローヘッドは、パリソンの口、およびあるセクションにおける吹込成形用金型に等しい力を加えることができない。
【発明の概要】
【発明が解決しようとする課題】
【０００９】
[0009]したがって、ブローヘッドのそれらのそれぞれのブローヘッド取り付け部材への装着および取り外しを容易にするシステムおよび方法を提供することが望ましいことが理解されよう。このことについては、そのようなシステムおよび方法は、ブローヘッドの取り外しおよび交換のために工具を必要としないことが望ましく、それらは片手だけでブローヘッドを取り外すおよび装着するのを容易にすることがさらに望ましいことが理解されよう。ブローヘッド取り付け部材に対するブローヘッドの緩みを防ぐように予圧も与え、それによってブローヘッドの振動中の振れを防ぐと共に、ブローヘッドの摩耗を減少させるシステムおよび方法がさらに望まれている。
【００１０】
[0010]本発明のこの背景の節に述べられた主題は、本発明の背景の節の中でそれが述べられた結果として単に従来技術と仮定されるべきではない。同様に、本発明の背景の節で述べた問題または本発明の背景の節の主題に関連した問題は、従来技術において前もって認識されていたと考えられるべきではない。本発明の背景の節における主題は、単に異なるアプローチを表すものであり、これらも基本的に自ら発明であり得る。
【課題を解決するための手段】
【００１１】
[0011]上述の背景技術の欠点および制限は、本発明によって克服される。本発明に関しては、インタロック機構が、工具を使用することなくブローヘッドのスライダ組立体への装着およびスライダ組立体からの前記ブローヘッドの取り外しを容易にするために使用される。前記ブローヘッドを前記スライダ組立体の固定リングに対して第１の回転位置に向け、前記ブローヘッドの取り付け部を前記固定リングに挿入し、次いで前記ブローヘッドを保持位置まで９０度回転させることによって、前記ブローヘッドは、前記スライダ組立体上へ取り付けられ、動作可能な状態になる。
【００１２】
[0012]ばね荷重された保持機構は、前記保持位置から前記ブローヘッドが回転するのに抵抗するが、前記ブローヘッドを押して前記ばねを圧縮し、前記ブローヘッドを９０度回転させることによって、前記ブローヘッドは、前記固定リングから取り外すための位置に配置することができる。この操作は、操作者によって片手だけで行うことができる。本質的に同じやり方で動作する複数の実施形態が提供可能であり、例によって本明細書に示される。
【００１３】
[0013]システムの実施形態では、本発明のブローヘッド用の前記固定リング取り付け構成は、前記ブローヘッドの上部に位置した第１の係合部材を有するブローヘッドと、前記ブローヘッドアームの下に位置した第２の係合部材とを備え、前記第１の係合部材および前記第２の係合部材が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、前記第２の係合部材に対して前記第２の回転位置で前記ブローヘッドを取り外し可能に保持する保持機構をさらに備える。
【００１４】
[0014]別のシステムの実施形態では、本発明のブローヘッド用の前記固定リング取り付け構成は、前記ブローヘッドの上部でそこに接続されたブローヘッド取り付け要素を有するブローヘッドであって、このブローヘッド取り付け要素が、前記ブローヘッド取り付け要素の両側から延びる一対の固定用フランジを有するブローヘッドと、各前記スライダの底に位置する固定リング部材であって、中空内部部分、および間に開口部を画定する前記固定リング部材の底に位置する一対の対向した係合フランジを有する固定リング部材とを備え、固定用フランジを有する前記ブローヘッド取り付け要素、および前記固定リング部材の前記係合フランジ間の前記開口部が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、前記ブローヘッド取り付け要素の前記固定用フランジが前記固定リングの前記中空内部部分に収容されているまま、前記ブローヘッド取り付け要素の前記固定用フランジおよび前記固定リング部材の前記係合フランジが、前記ブローヘッドが、前記第２の係合部材に対して前記第１の回転位置から前記ロッキングリングに対して第２の回転位置へ回転させられているときに、前記ブローヘッド取り付け要素が前記ロッキングリングに固定されることを可能にするようにそれぞれ構成および配置され、前記固定リングに対して前記第２の回転位置で前記ブローヘッドの回転を解除可能に止めるまたは回転に抵抗する戻り止め機構をさらに備える。
【００１５】
[0015]さらに別のシステムの実施形態では、本発明のブローヘッド用の前記固定リング取り付け構成は、ブローヘッドの上部に位置した第１の係合部材と、前記ブローヘッドアームの下に位置した第２の係合部材とを備え、前記第１の係合部材および前記第２の係合部材が、前記ブローヘッドが前記第２の係合部材に対して第１の回転位置にあるときに、前記第１の係合部材が前記第２の係合部材に収容される、または前記第２の係合部材から取り出されることを可能にするようにそれぞれ構成および配置され、前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記第１の係合部材を前記第２の係合部材に保持するようにそれぞれ構成および配置される。
【００１６】
[0016]方法の実施形態では、ブローヘッドをブローヘッドアームへ取り付ける方法であって、前記ブローヘッドの上部に位置した第１の係合部材を用意するステップと、前記ブローヘッドアームの下に位置した第２の係合部材を用意するステップと、前記第２の係合部材に対して前記ブローヘッドが第１の回転位置にある状態で、前記ブローヘッドの前記第１の係合部材を前記第２の係合部材に挿入するステップと、前記第２の係合部材に対して前記第１の回転位置から前記第２の係合部材に対して第２の回転位置へ前記ブローヘッドを回転させる一方、前記ブローヘッドの前記第１の係合部材が、前記第２の係合部材に収容されるステップと、保持機構を用いて前記第２の係合部材に対して前記第２の回転位置で前記ブローヘッドを取り外し可能に保持するステップと、前記保持機構を選択的に係合解除し、前記第２の係合部材に対して前記第２の回転位置から前記第２の係合部材に対して前記第１の回転位置へ前記ブローヘッドを回転させるステップと、前記ブローヘッドが前記第２の係合部材に対して第１の回転位置にある状態で、前記ブローヘッドの前記第１の係合部材を前記第２の係合部材から取り出して、前記ブローヘッドを前記第２の係合部材から係合解除するステップとを含む方法が開示される。
【００１７】
[0017]本発明の前記ブローヘッド用の固定リング取り付け構成は、ブローヘッドをそれらのそれぞれのブローヘッド取り付け部材への装着およびブローヘッドの取り外しを容易にする装置および関連方法を提供する。このことについては、前記本発明の固定リング取り付け構成の装置および方法は、ブローヘッドの取り外しおよび交換のために工具を必要とせず、片手だけを用いてブローヘッドを取り外しおよび装着するのをさらに容易にする。加えて、前記固定リング取り付け構成の装置および方法は、ブローヘッド取り付け部材に対するブローヘッドの緩みを防ぐように予圧も与え、それによってブローヘッドの振動中の振れを防ぐと共に、ブローヘッドの摩耗を減少させる。最後に、本発明の固定リング取り付け構成の装置および方法は、かなりの関連した欠点を背負い込むことなく多数の利点を実現する。
【００１８】
[0018]本発明のこれらおよび他の利点は、図面を参照すると最もよく理解される。
【図面の簡単な説明】
【００１９】
【図１】[0019]それぞれのブローヘッド取り付け部材に取り付けられた２つのブローヘッド組立体、およびブローヘッド取り付け部材へ装着されようとしている１つのブローヘッド組立体を示す、本発明のブローヘッド用の固定リング取り付け構成の第１の実施形態を有するブローヘッドアームの等角図である。
【図２】[0020]図１に示されたブローヘッドアームの分解図である。
【図３】[0021]図２に示されたスライダ組立体の底に位置する上側固定リング部分を示す図２に示されたスライダ組立体のうちの１つの等角図である。
【図４】[0022]図３に示されたスライダ組立体の上平面図である。
【図５】[0023]図３および図４に示されたスライダ組立体の底平面図である。
【図６】[0024]図３から図５に示されたスライダ組立体の側面図である。
【図７】[0025]図３から図６に示されたスライダ組立体の断面図である。
【図８】[0026]図２に示された下側固定リング部分のうちの１つの等角図である。
【図９】[0027]図８に示された下側固定リング部分の上面図である。
【図１０】[0028]図８および図９に示された下側固定リング部分の底面図である。
【図１１】[0029]図８から図１０に示された下側固定リング部分の側面図である。
【図１２】[0030]図８から図１１に示された下側固定リング部分の第１の断面図である。
【図１３】[0031]図８から図１２に示された下側固定リング部分の第２の断面図である。
【図１４】[0032]ブローヘッド組立体の上端に位置する対向した固定用フランジを示す図２中に示されたブローヘッド組立体のうちの１つの等角図である。
【図１５】[0033]図１４に示されたブローヘッド組立体の上平面図である。
【図１６】[0034]図１４および図１５に示されたブローヘッド組立体の底平面図である。
【図１７】[0035]図１４から図１６に示されたブローヘッド組立体の側面図である。
【図１８】[0036]図１４から図１７に示されたブローヘッド組立体の第１の断面図である。
【図１９】[0037]図１４から図１８に示されたブローヘッド組立体の第２の断面図である。
【図２０】[0038]組み立てられた上側固定リング部分および下側固定リング部分を示す図である。
【図２１】組み立てられた上側固定リング部分および下側固定リング部分を示す図である。
【図２２】組み立てられた上側固定リング部分および下側固定リング部分を示す図である。
【図２３】組み立てられた上側固定リング部分および下側固定リング部分を示す図である。
【図２４】組み立てられた上側固定リング部分および下側固定リング部分を示す図である。
【図２５】[0039]組み立てられた上側固定リング部分および下側固定リング部分を示す９０度離れた断面図である。
【図２６】組み立てられた上側固定リング部分および下側固定リング部分を示す９０度離れた断面図である。
【図２７】[0040]図２０から図２６に示された上側固定リング部分および下側固定リング部分に挿入されようとする図１４から図１９に示されたブローヘッド組立体を示すと共に、図３から図７に示されたスライダ組立体が装着されるブローヘッドアームの構成要素のいくつかも示す断面図である。
【図２８】[0041]図２７のブローヘッド組立体が図２７の上側固定リング部分および下側固定リング部分に挿入され、その後それが、図２７のブローヘッド組立体が上側固定リング部分および下側固定リング部分内に保持されるように回転させられるように図２７のブローヘッド組立体を移動することを示す断面図である。
【図２９】[0042]図２７および図２８のブローヘッド組立体の対向した固定用フランジが図２７および図２８の上側固定リング部分および下側固定リング部分に初めに挿入されるときの図２７および図２８のブローヘッド組立体の対向した固定用フランジを示す断面図である。
【図３０】[0043]ブローヘッド組立体の固定用フランジを図２７から図２９の上側固定リング部分および下側固定リング部分に係合し始めるように回転させられる図２７から図２９のブローヘッド組立体を示す図である。
【図３１】ブローヘッド組立体の固定用フランジを図２７から図２９の上側固定リング部分および下側固定リング部分に係合し始めるように回転させられる図２７から図２９のブローヘッド組立体を示す図である。
【図３２】ブローヘッド組立体の固定用フランジを図２７から図２９の上側固定リング部分および下側固定リング部分に係合し始めるように回転させられる図２７から図２９のブローヘッド組立体を示す図である。
【図３３】ブローヘッド組立体の固定用フランジを図２７から図２９の上側固定リング部分および下側固定リング部分に係合し始めるように回転させられる図２７から図２９のブローヘッド組立体を示す図である。
【図３４】[0044]図２７から図２９の上側固定リング部分および下側固定リング部分内の固定位置にある図２７から図２９のブローヘッド組立体を示す図である。
【図３５】図２７から図２９の上側固定リング部分および下側固定リング部分内の固定位置にある図２７から図２９のブローヘッド組立体を示す図である。
【図３６】図２７から図２９の上側固定リング部分および下側固定リング部分内の固定位置にある図２７から図２９のブローヘッド組立体を示す図である。
【図３７】図２７から図２９の上側固定リング部分および下側固定リング部分内の固定位置にある図２７から図２９のブローヘッド組立体を示す図である。
【図３８】[0045]それぞれのブローヘッド取り付け部材に取り付けられた３つのブローヘッド、およびブローヘッド取り付け部材へ装着されようとしている１つのブローヘッドを示す、本発明のブローヘッド用の固定リング取り付け構成の第２の実施形態を有するブローヘッドアームの等角図である。
【図３９】[0046]図３８に示されたブローヘッドアームの分解図である。
【図４０】[0047]図３９に示されたスライダ組立体の底に位置する固定リング部分を示す図３９に示されたスライダ組立体のうちの１つの等角図である。
【図４１】[0048]図４０に示されたスライダ組立体の上平面図である。
【図４２】[0049]図４０および図４１に示されたスライダ組立体の底平面図である。
【図４３】[0050]図４０から図４２に示されたスライダ組立体の側面図である。
【図４４】[0051]図４０から図４３に示されたスライダ組立体を示す９０度離れた断面図である。
【図４５】図４０から図４３に示されたスライダ組立体を示す９０度離れた断面図である。
【図４６】[0052]ブローヘッド組立体の一部を形成するブローヘッドスリーブを示す図である。
【図４７】ブローヘッド組立体の一部を形成するブローヘッドスリーブを示す図である。
【図４８】ブローヘッド組立体の一部を形成するブローヘッドスリーブを示す図である。
【図４９】[0053]図４６から図４８に示されたブローヘッドスリーブが装着されるブローヘッド構造を示す図である。
【図５０】図４６から図４８に示されたブローヘッドスリーブが装着されるブローヘッド構造を示す図である。
【図５１】図４６から図４８に示されたブローヘッドスリーブが装着されるブローヘッド構造を示す図である。
【図５２】図４６から図４８に示されたブローヘッドスリーブが装着されるブローヘッド構造を示す図である。
【図５３】図４６から図４８に示されたブローヘッドスリーブが装着されるブローヘッド構造を示す図である。
【図５４】図４６から図４８に示されたブローヘッドスリーブが装着されるブローヘッド構造を示す図である。
【図５５】[0054]図４０から図４５に示されたスライダ組立体の固定リング部分に装着されることが示されるブローヘッド組立体を形成するように図５０から図５４に示されたブローヘッド構造へ装着される図４６から図４８に示されたブローヘッドスリーブを示す図である。
【図５６】図４０から図４５に示されたスライダ組立体の固定リング部分に装着されることが示されるブローヘッド組立体を形成するように図５０から図５４に示されたブローヘッド構造へ装着される図４６から図４８に示されたブローヘッドスリーブを示す図である。
【図５７】図４０から図４５に示されたスライダ組立体の固定リング部分に装着されることが示されるブローヘッド組立体を形成するように図５０から図５４に示されたブローヘッド構造へ装着される図４６から図４８に示されたブローヘッドスリーブを示す図である。
【図５８】図４０から図４５に示されたスライダ組立体の固定リング部分に装着されることが示されるブローヘッド組立体を形成するように図５０から図５４に示されたブローヘッド構造へ装着される図４６から図４８に示されたブローヘッドスリーブを示す図である。
【図５９】図４０から図４５に示されたスライダ組立体の固定リング部分に装着されることが示されるブローヘッド組立体を形成するように図５０から図５４に示されたブローヘッド構造へ装着される図４６から図４８に示されたブローヘッドスリーブを示す図である。
【図６０】[0055]ブローヘッド組立体がスライダ組立体の固定リング部分に係合するように回転されるとブローヘッド組立体がさらに回転するのを防ぐように使用されるロールピンを示す、図４０から図４５に示された、特に図５７および図５８に示された組立体の一部の部分断面図である。
【図６１】[0056]図４０から図４５に示されたスライダ組立体の固定リング部分に挿入されようとする図４６から図５４に示されたブローヘッド組立体を示すと共に、図４０から図４５に示されたスライダ組立体が装着されるブローヘッドアームの構成要素のいくつかも示す断面図である。
【図６２】[0057]図６１のブローヘッド組立体が図６１の固定リング部分に挿入され、その後それが、ブローヘッド組立体を固定リング部分内に保持するように回転させられるように図６１のブローヘッド組立体を移動することを示す断面図である。
【図６３】[0058]図６１および図６２のブローヘッド組立体の対向した固定用フランジが図６１および図６２の固定リング部分に初めに挿入されるときの図６１および図６２のブローヘッド組立体の対向した固定用フランジを示す断面図である。
【図６４】[0059]ブローヘッド組立体の固定用フランジを図６１から図６３の固定リング部分に係合し始めるように回転させられる図６１から図６３のブローヘッド組立体を示す図である。
【図６５】ブローヘッド組立体の固定用フランジを図６１から図６３の固定リング部分に係合し始めるように回転させられる図６１から図６３のブローヘッド組立体を示す図である。
【図６６】ブローヘッド組立体の固定用フランジを図６１から図６３の固定リング部分に係合し始めるように回転させられる図６１から図６３のブローヘッド組立体を示す図である。
【図６７】[0060]図６１から図６３の上側固定リング部分および下側固定リング部分内の固定位置にある図６１から図６３のブローヘッド組立体を示す図である。
【図６８】図６１から図６３の上側固定リング部分および下側固定リング部分内の固定位置にある図６１から図６３のブローヘッド組立体を示す図である。
【図６９】図６１から図６３の上側固定リング部分および下側固定リング部分内の固定位置にある図６１から図６３のブローヘッド組立体を示す図である。
【図７０】[0061]図６１から図６３の上側固定リング部分および下側固定リング部分内の固定位置にある図６１から図６３のブローヘッド組立体を示すと共に、ブローヘッド組立体の下部に位置する排出ベント通路も示す９０度離れた断面図である。
【図７１】図６１から図６３の上側固定リング部分および下側固定リング部分内の固定位置にある図６１から図６３のブローヘッド組立体を示すと共に、ブローヘッド組立体の下部に位置する排出ベント通路も示す９０度離れた断面図である。
【図７２】[0062]内部に位置する排出ベント通路を示す図７０および図７１に示されたブローヘッド組立体の下部の部分断面図である。
【発明を実施するための形態】
【００２０】
[0063]図１から図３８には、本発明のブローヘッド用の固定リング取り付け構成の第１の例示的な実施形態が示され、一方、図３９から図７４には、本発明のブローヘッド用の固定リング取り付け構成の第２の例示的な実施形態が示される。まず、第１の実施形態、具体的には図１を参照すると、ブローヘッドアーム組立体１００は、垂直支柱１０２に取り付けられ、吹込成形用金型（図示せず）に対して昇降させられる。動作時に３つの吹込成形用金型の上部へそれぞれ降ろされる３つのブローヘッド組立体１０４が、ブローヘッドアーム組立体１００の底から延在している。
【００２１】
[0064]本発明は、ブローヘッド組立体１０４をブローヘッドアーム組立体１００の装置に装着すると共にブローヘッド組立体１０４を取り外す装置および方法に関するが、背景として、ブローヘッドアーム組立体１００の構成の簡単な説明は、図２と共に与えられる。ブローヘッドアーム組立体１００の様々な構成要素が、３つの円筒内部１１２（これらの円筒内部１１２は、本発明に関連していないここに位置する様々な通路を有する）を有する上ブローヘッドアーム部材１１０へ組み立てられる。３つの円筒形スリーブ１１４（これらの円筒形スリーブ１１４も本発明に関連していないここに位置する通路を有する）は、３つの円筒内部１１２の中にそれぞれ取り付けられ、３つの円筒形スリーブ１１４は、上ブローヘッドアーム部材１１０に螺着されるボルト１１６によって保持される。
【００２２】
[0065]３つのスライダ組立体１１８は、円筒形スリーブ１１４のそれぞれ１つの中に延在する円筒上部１２０と、この円筒上部１２０のそれぞれの底に位置する上側固定リング部分１２２とをそれぞれ有する。一対のピストンリング１２４は、スライダ組立体１１８の円筒上部１２０上に位置する溝にそれぞれ取り付けられる。ピン１２６は、各スライダ組立体１１８とそのそれぞれの円筒形スリーブ１１４の間に延在して、スライダ組立体１１８が回転するのを防ぎ、スライダ組立体１１８がそれらのそれぞれの円筒形スリーブ１１４に対して幾分か直線的に移動することを可能にする。
【００２３】
[0066]周辺付近に複数の穴を有するワッシャ１２８が、ボルト１３０を用いてスライダ組立体１１８の各円筒上部１２０の上端へ取り付けられる。ワッシャ１２８は、円筒内部１１２に嵌め込まれるように大きさが決定されるが、円筒形スリーブ１１４の上部によってさらなる下方への移動が阻止される。ばね１３２は、それぞれの円筒内部１１２ごとに各ワッシャ１２８の上に位置し、保持キャップ１３４は、各円筒内部１１２の上部に螺着されており、ワッシャ１２８によって阻止されるので、それによってばね１３２を圧縮してスライダ組立体１１８を下方に付勢する。この付勢は、ブローヘッドアーム組立体１００によって使用されて、ブローヘッド組立体１０４に下方の圧力を加え、ブローヘッド組立体１０４を吹込成形用金型（本明細書に図示せず）に対して所定の位置に保持する。
【００２４】
[0067]上側固定リング部分１２２は、下側固定リング組立体１３６にそれぞれ挿入される。（下から上へ）ばね１３８、リング１４０、および保持リング１４２が、各スライダ組立体１１８の円筒上部１２０の周囲に位置し、上側固定リング部分１２２の上方の下側固定リング組立体１３６の上端に挿入される。これらの構成要素の各々の機能は、上側固定リング部分１２２および下側固定リング組立体１３６の説明と併せて以下に明らかになる。
【００２５】
[0068]次に図３から図７を参照すると、スライダ組立体１１８の上側固定リング部分１２２の構成が説明される。上側固定リング部分１２２は、小径上部１５０および大径下部１５２を含む。小径部分１５０は、内部に位置する穴１５４を備え、その中に（図２に示された）ピン１２６が挿入される。大径下部１５２は、図５および図７に最もよく見えるようにその内側が中空であり、その外壁は、その底側に２つの対向した切り欠き１５６および１５８を備える。
【００２６】
[0069]スライダ組立体１１８の円筒上部１２０は、その中に位置する２つの環状溝１６０および１６２を有し、その中に（図２に示された）ピストンリング１２４が設置される。中央通路１６４は、円筒上部１２０の上部から上側固定リング部分１２２の内部へスライダ組立体１１８を通じて延び、吹込み空気を供給するために使用される。複数の通路１６６は、円筒上部１２０を通じて延び、中央通路１６４の周囲で上側固定リング部分１２２の内部に配列され、冷却用空気を供給するために使用される。
【００２７】
[0070]次に図８から図１３を参照すると、下側固定リング組立体１３６の構成が説明される。下側固定リング組立体１３６は、（図３、図６および図７に最もよく示された）上側固定リング部分１２２の大径下部１５２へ下側固定リング組立体１３６が装着されるのを容易にするように、その上側が完全に開放した概して中空の円筒である。２つの対向した内側に延びる弓状係合フランジ１７０および１７２が、下側固定リング組立体１３６の底側に位置し、これらの２つの対向した内側に延びる弓状係合フランジ１７０および１７２は、下側固定リング組立体１３６の外壁の底部において弓状係合フランジ１７０および１７２の間に２つの対向した切り欠き１７４および１７６を画定する。２つの戻り止め凹所１７８および１８０が、弓状係合フランジ１７０および１７２の中央位置で弓状係合フランジ１７０および１７２の上面に位置する。最後に、環状凹所１８２が、下側固定リング組立体１３６の上部の近くの下側固定リング組立体１３６の内面に位置する。
【００２８】
[0071]次に図１４から図１９を参照すると、ブローヘッド組立体１０４の関連した部分の構成が説明される。ブローヘッド組立体１０４は、３つの部分を有し、これらの３つの部分は、下から上へ、ブローヘッド部１９０と、円筒形のブローヘッドネック部１９２と、ブローヘッド取り付け部１９４とから構成される。ブローヘッド部１９０は、ブローヘッド組立体１０４の底で開いている（および本明細書に図示されていないパリソンの口部（ｆｉｎｉｓｈ  ｐｏｒｔｉｏｎ）に係合する）円筒凹所１９６を含む。ブローヘッドネック部１９２は、（図１０に最もよく示された）弓状係合フランジ１７０および１７２の間に嵌まるように大きさが決定される。
【００２９】
[0072]ブローヘッド取り付け部１９４は、その両側でそこから横方向に延びる対向した固定用フランジ１９６および１９８を有する。固定用フランジ１９６および１９８によって画定される外径は、下側固定リング組立体１３６の内径内に嵌まるように大きさが決定され、固定用フランジ１９６および１９８の幅は、弓状係合フランジ１７０および１７２の端と端の間に画定される領域内に嵌まるように定められる。さらに、固定用フランジ１９６および１９８の幅は、それぞれ戻り止め凹所１７８および１８０内に嵌まるように設計され、これらの固定用フランジ１９６および１９８ならびに戻り止め凹所１７８および１８０は、ひとまとめにして係合可能な保持機構と考えることができる。図１７に最もよく示されるように、固定用フランジ１９６および１９８の側部は、底側で角度が付けられていることが好ましい。
【００３０】
[0073]中央通路２００は、ブローヘッド取り付け部１９４の上部からブローヘッド部１９０の内部へブローヘッド組立体１０４を通じて延び、吹込み空気を供給するために使用される。複数の通路２０２は、ブローヘッド取り付け部１９４、ブローヘッドネック部１９２、およびブローヘッド部１９０を通じて延び、ブローヘッド組立体１０４の内部内の中央通路２００の周囲に配列され、冷却用空気を供給するために使用される。
【００３１】
[0074]次に、図２０から図２６を参照すると、スライダ組立体１１８の上側固定リング部分１２２への下側固定リング組立体１３６の組み立てが示される。図２０から図２４は、完成した固定リング組立体の外観を示す一方、図２５および図２６は、固定リング組立体の内部の特定の細部を示しており、固定リング組立体の動作を理解するのに役立つ。上側固定リング部分１２２は、下側固定リング組立体１３６の内部に完全に挿入される。上側固定リング部分１２２の大径下部１５２の切り欠き１５６および１５８は、下側固定リング組立体１３６の弓状係合フランジ１７０および１７２の上側に着座する。上側固定リング部分１２２および下側固定リング組立体１３６は共に、弓状係合フランジ１７０と１７２の中間にあるその底だけが開いた中空内部部分を画定し、この開口部は、図２３に最もよく示される。この開口部は、（図１４および図１５に最もよく示されるように）ブローヘッド組立体１０４のブローヘッド取り付け部１９４をぴったりと収容できる外形を有するように構成されることが理解されよう。
【００３２】
[0075]ばね２１０は、上側固定リング部分１２２の小径部分１５０の周囲に嵌まり、上側固定リング部分１２２の大径下部１５２の上部に載る。平坦リング２１２も、上側固定リング部分１２２の小径部分１５０の周囲に嵌まり、ばね２１０の上に位置する。保持リング２１４も、上側固定リング部分１２２の小径部分１５０の周囲に嵌まり、保持リング２１４の上部に位置すると共に、下側固定リング組立体１３６中の環状凹所１８２内に位置する。したがって、上側固定リング部分１２２の大径下部１５２は、ばね２１０によって下側固定リング組立体１３６に対して下方に仕向けられることが理解されよう。したがって、完成した固定リング組立体は、上側固定リング部分１２２と、下側固定リング組立体１３６と、ばね２１０と、リング２１２と、保持リング２１４とからなる。
【００３３】
[0076]次に図２７から図２９を参照すると、ブローヘッド組立体１０４のブローヘッド取り付け部１９４の固定リング組立体への挿入が示される。固定用フランジ１９６および１９８を備えるブローヘッド取り付け部１９４は、上側固定リング部分１２２の大径下部１５２中の弓状係合フランジ１７０および１７２の間の開口部を通じて、その内部に挿入される。弓状係合フランジ１７０および１７２の間の開口部は、それらの間にブローヘッド取り付け部１９４を収容できるように構成される。
【００３４】
[0077]次に、図３０から図３３を参照すると、図２７から図２９に示された過程の後にある挿入位置からの固定リング組立体内のブローヘッド組立体１０４のブローヘッド取り付け部１９４の回転が示される。上側固定リング部分１２２の大径下部１５２中の弓状係合フランジ１７０および１７２ならびに／またはブローヘッド取り付け部１９４の固定用フランジ１９６および１９８の縁部は角度が付けられており、ブローヘッド取り付け部１９４が、固定用フランジ１９６および１９８の上面の接触状態で回転し始めることが可能なようになっている。この操作によって、下側固定リング組立体１３６を下方に引き寄せ、ばね２１０を圧縮する。
【００３５】
[0078]次に図３４から図３７を参照すると、固定リング組立体に対するブローヘッド組立体１０４のブローヘッド取り付け部１９４の装着位置および固定位置が示される。ブローヘッド組立体１０４のブローヘッド取り付け部１９４は、上側固定リング部分１２２の大径下部１５２中の弓状係合フランジ１７０および１７２の上部に位置するブローヘッド取り付け部１９４の固定用フランジ１９６および１９８と共に回転し続ける。ブローヘッド組立体１０４のブローヘッド取り付け部１９４が、固定リングの内部へのその挿入の後に９０度回転させられたとき、ブローヘッド取り付け部１９４の固定用フランジ１９６および１９８は戻り止め凹所１７８および１８０と揃い、ばね２１０の力が下側固定リング組立体１３６を上方へ仕向け、それによってブローヘッド取り付け部１９４の固定用フランジ１９６および１９８を戻り止め凹所１７８および１８０内に保持する。これによってブローヘッド組立体１０４をブローヘッドアーム組立体１００に対して所定の場所に保持する。
【００３６】
[0079]ブローヘッドアーム組立体１００に対するブローヘッド組立体１０４の装着は、操作者の片手で行うことができ、ブローヘッド組立体１０４を装着するのに工具は必要とされないことが理解されよう。戻り止め凹所１７８および１８０も角度が付けられており、ばね２１０によって及ぼされる力に対して下側固定リング組立体１３６を下方に引っ張るのに十分な力でブローヘッド組立体１０４が回転できるようになっているため、ブローヘッド組立体１０４の取り外しは、同様のやり方で実現することができる。
【００３７】
[0080]次に、図３９から図７３に示された本発明のブローヘッド用の固定リング取り付け構成の第２の実施形態、特に図３９を参照すると、ブローヘッドアーム組立体３００は、垂直支柱３０２に取り付けられ、吹込成形用金型（図示せず）に対して昇降させられる。動作時に３つの吹込成形用金型の上部へそれぞれ降ろされる４つのブローヘッド組立体３０４が、ブローヘッドアーム組立体３００の底から延在している。
【００３８】
[0081]ブローヘッドアーム組立体３００の構成の簡単な説明は、図３９と共に与えられる。ブローヘッドアーム組立体３００の様々な構成要素は、４つの円筒内部３１２（これらの円筒内部３１２は、本発明に関連していないここに位置する様々な通路を有する）を有する上ブローヘッドアーム部材３１０へ組み立てられる。４つの円筒形スリーブ３１４（これらの円筒形スリーブ３１４も本発明に関連していないここに位置する通路を有する）は、４つの円筒内部３１２の中にそれぞれ取り付けられ、４つの円筒内部３１２は、上ブローヘッドアーム部材３１０に螺着されるボルト３１６によって保持される。各円筒形スリーブ３１４は、下方に延びるタブ３１５を有し、このタブ３１５は、以下に明らかになるように、固定リング３２２の回転を防ぐために使用される。
【００３９】
[0082]４つのスライダ組立体３１８は、円筒形スリーブ３１４のそれぞれ１つの中に延在する円筒上部３２０と、この円筒上部３２０のそれぞれの底に位置する固定リング３２２とをそれぞれ有する。一対のピストンリング３２４は、スライダ組立体３１８の円筒上部３２０上に位置する溝にそれぞれ取り付けられる。ロールピン３２６は、各スライダ組立体３１８とそのそれぞれの円筒形スリーブ３１４の間に延在して、スライダ組立体３１８が回転するのを防ぎ、スライダ組立体３１８がそれらのそれぞれの円筒形スリーブ３１４に対して幾分か直線的に移動することを可能にする。
【００４０】
[0083]周辺付近に複数の穴を有するワッシャ３２８が、ボルト３３０を用いてスライダ組立体３１８の各円筒上部３２０の上端へ取り付けられる。ワッシャ３２８は、円筒内部３１２に嵌め込まれるように大きさが決定されるが、円筒形スリーブ３１４の上部によってさらなる下方への移動が阻止される。ばね３３２は、それぞれの円筒内部３１２ごとに各ワッシャ３２８の上に位置し、保持キャップ３３４は、各円筒内部３１２の上部に螺着されており、ワッシャ３２８によって阻止されるので、それによってばね３３２を圧縮してスライダ組立体３１８を下方に付勢する。この付勢は、ブローヘッドアーム組立体３００によって使用されて、ブローヘッド組立体３０４に下方の圧力を加え、ブローヘッド組立体３０４を吹込成形用金型（本明細書に図示せず）に対して所定の位置に保持する。
【００４１】
[0084]２つの同一の固定用機構が、固定リング３２２の両側で固定リング３２２の上部に挿入される。これらの固定用機構の各々は、（下から上へ）ディティントボール３３８と、ばね３４０と、保持用ねじ３４２とを含む。これらの構成要素の各々の機能は、固定リング３２２についての十分かつ完全な説明と共に以下に明らかになる。本発明に直接関連しないが、ブローヘッド組立体３０４が、主ブローヘッド部分３４４と、この主ブローヘッド部分３４４の上へ装着されるブローヘッドスリーブ３４６とからなることも見ることができる。
【００４２】
[0085]次に、図４０から図４５を参照すると、スライダ組立体３１８の固定リング３２２の構成が説明される。固定リング３２２は、基本的に円筒形であり、一対の戻り止め凹所３５０および３５２が、固定リング３２２の両側に隣接してその上側に位置する。図４４に特に見られるように、戻り止め凹所３５０および３５２は、固定リング３２２の内部に延びる。固定リング３２２の上面は、その中に位置する穴３５４も備え、この穴３５４の中に（図３９に示された）ロールピン３２６が挿入される。固定リング３２２の外壁は、その底に位置する２つの対向した切り欠き３５６および３５８を備え、大きい垂直スロット３５９が、切り欠き３５６の上方で固定リング３２２の外壁中に位置する。（図３９に共に示された）円筒形スリーブ３１４から延びるタブ３１５は、垂直スロット３５９の中に延在し、動作中に固定リング３２２が回転するのを防ぐ。
【００４３】
[0086]スライダ組立体３１８の円筒上部３２０は、その中に位置する２つの環状溝３６０および３６２を有し、その中に（図３９に示された）ピストンリング３２４が設置される。中央通路３６４は、円筒上部３２０上部から固定リング３２２の内部へスライダ組立体３１８を通じて延び、吹込み空気を供給するために使用される。複数の通路３６６は、円筒上部３２０を通じて延び、中央通路３６４の周囲で固定リング３２２の内部に配列され、冷却用空気を供給するために使用される。
【００４４】
[0087]固定リング３２２は、図４４および図４５に最もよく示されるように中空内部を有し、その底で一部開放されてもいる。この開口部が、主ブローヘッド部分３４４のブローヘッド取り付け部３９４をぴったりと収容できる外形を有するように構成されることが理解されよう（図４９および図５０に最もよく示されるように、その細部は、以下に説明される）。２つの対向した内側に延びる弓状係合フランジ３７０および３７２が、固定リング３２２の底側に位置し、これらの２つの対向した内側に延びる弓状係合フランジ３７０および３７２は、固定リング３２２の外壁の底部に弓状係合フランジ３７０および３７２の間に延びる２つの対向した切り欠き３５６および３５８を有する。穴３８４が弓状係合フランジ３７２中に位置し、固定リング３２２の上部内の穴３５４と軸方向に揃う。最後に、図４４を参照すると、戻り止め凹所３５０および３５２は、それぞれ弓状係合フランジ３７０および３７２の上で固定リング３２２の中空内部の中にその底で開放していることが見られる。
【００４５】
[0088]次に図４６から図４８を参照すると、ブローヘッドスリーブ３４６は、中空円筒形構成であることが示される。ブローヘッドスリーブ３４６は、その底端近くでその中に設けられた角度的に等しい間隔をあけて配置された４つの穴３８０を有する。ブローヘッドスリーブ３４６は、主ブローヘッド部分３４４の底部に取り付けられるように適切に大きさが決定される。
【００４６】
[0089]次に、図４９から図５４を参照すると、主ブローヘッド部分３４４の関連した部分の構成が説明される。主ブローヘッド部分３４４は、３つの部分を有し、これらの３つの部分は、下から上へ、ブローヘッド部３９０と、円筒形のブローヘッドネック部３９２と、ブローヘッド取り付け部３９４とから構成される。ブローヘッド部３９０は、図４５に示されるように主ブローヘッド部分３４４の底で開いている（本明細書に図示されていないパリソンの口部に係合する）円筒凹所３９６を含む。ブローヘッドネック部３９２は、（図４２に最もよく示された）弓状係合フランジ３７０および３７２の間に嵌まるように大きさが決定される。
【００４７】
[0090]ブローヘッド取り付け部３９４は、その両側でそこから横方向に延びる対向した固定用フランジ３９６および３９８を有する。固定用フランジ３９６および３９８によって画定される外径は、固定リング３２２の内部の内径内に嵌まるように大きさが決定され、フランジ３９６および３９８の幅は、弓状係合フランジ３７０および３７２の端と端の間に画定される領域内に嵌まるように定められる。図４９および図５０に最もよく示されるように、固定用フランジ３９６および３９８の側部は、上側で角度が付けられている。
【００４８】
[0091]中央通路４００は、ブローヘッド取り付け部３９４の上部からブローヘッド部３９０の内部へ主ブローヘッド部分３４４を通じて延び、吹込み空気を供給するために使用される。複数の通路４０２は、ブローヘッド取り付け部３９４、ブローヘッドネック部３９２を通じて延び、ブローヘッド部３９０の外側で外に出ており、主ブローヘッド部分３４４の内部の中央通路４００の周囲に配列され、冷却用空気を供給するために使用される。複数の通路４０４が、ブローヘッド部３９０の外側から内側へブローヘッド部３９０を通じて延びる。（図４６から図４８に示された）ブローヘッドスリーブ３４６がブローヘッド部３９０へ取り付けられるとき、通路４０２および通路４０４は、ブローヘッド取り付け部３９４の上部からブローヘッド部３９０の内部へ吹込み空気を供給することが理解されよう。
【００４９】
[0092]戻り止め凹所４０６および４０８は、それぞれ固定用フランジ３９６および３９８の遠位端でその上側において中央に位置する。４つの穴４１０が、ブローヘッド部３９０の周囲の周りに位置しており、これらの４つの穴４１０は、ブローヘッドスリーブ３４６が主ブローヘッド部分３４４へ取り付けられるときに、ブローヘッドスリーブ３４６中の４つの穴３８０に揃う。（図３９および図７２に最もよく示された）４つのベントねじ４１２が、ブローヘッドスリーブ３４６中の穴３８０を通じて、ブローヘッド部分３４４の３９０中の穴４１０の中に螺着され、ブローヘッドスリーブ３４６を主ブローヘッド部分３４４上で保持すると共に、冷却用空気がブローヘッド３０４から外へ逃されることを可能にするように機能する。
【００５０】
[0093]次に図５５から図５９を参照すると、ディティントボール装置が装備されると共に保持用ねじ３４２が見えるスライダ組立体３１８が示される（図３９に示されたディティントボール３３８およびばね３４０は、これらの図では見えない）。加えて、図４６から図４８に示されたブローヘッドスリーブ３４６が、図５０から図５４に示された主ブローヘッド部分３４４の上へ装着されて示されており、ベントねじ４１２がはっきりと見える。さらに、（主ブローヘッド部分３４４およびブローヘッドスリーブ３４６を含む）ブローヘッド３０４は、スライダ組立体３１８の固定リング３２２の中に挿入される。
【００５１】
[0094]次に、図６０を参照すると、ロールピン３２６が、スライダ組立体３１８の穴３５４および３８４に装着されて示されている。ロールピン３２６の機能は、ブローヘッド３０４がスライダ組立体３１８の固定リング３２２に挿入されると、ブローヘッド３０４の固定用フランジ３９６の回転を９０度に制限することである。
【００５２】
[0095]次に図６１から図６３を参照すると、ブローヘッド組立体３０４のブローヘッド取り付け部３９４のスライダ組立体３１８の固定リング３２２の中への挿入が示される。固定用フランジ３９６および３９８を含むブローヘッド取り付け部３９４は、スライダ組立体３１８の固定リング３２２中の弓状係合フランジ３７０および３７２の間の開口部を通じて、その内部に挿入される。弓状係合フランジ３７０および３７２の間の開口部は、それらの間にブローヘッド取り付け部３９４を収容できるように構成される。
【００５３】
[0096]次に図６４から図６６を参照すると、図６１から図６３に示された過程の後にある挿入位置からのスライダ組立体３１８の固定リング３２２内のブローヘッド組立体３０４のブローヘッド取り付け部３９４の回転が示される。ブローヘッド３０４が回転するとき、図６５に詳細に示されるように、固定用フランジ３９６および３９８の縁部にあるその上部の角度が付けられた隅部が、ディティントボール３３８に接触する。ブローヘッド３０４が回転し続けるとき、固定用フランジ３９６および３９８の上部の角度が付けられた隅部は、ばね３４０によって及ぼされる力に逆らってディティントボール３３８を上方に押しやる。
【００５４】
[0097]次に図６７から図７１を参照すると、スライダ組立体３１８の固定リング３２２内のブローヘッド組立体３０４のブローヘッド取り付け部３９４の装着および固定の位置が示される。ブローヘッド組立体３０４のブローヘッド取り付け部３９４は、固定リング部分３２２中の弓状係合フランジ３７０および３７２の上部に位置するブローヘッド取り付け部３９４の固定用フランジ３９６および３９８と共に回転し続ける。ブローヘッド組立体３０４のブローヘッド取り付け部３９４が、固定リング３２２の内部へその挿入の後に９０度回転させられたとき、ブローヘッド取り付け部３９４の固定用フランジ３９６および３９８のそれぞれの戻り止め凹所４０６および４０８は、ディティントボール３３８に揃い、これらのディティントボール３３８は、ばね３４０によって戻り止め凹所４０６および４０８の中に仕向けられ、それによってブローヘッド取り付け部３９４の固定用フランジ３９６および３９８を図６７から図７１にそれが示される位置に保持する。このことについては、ディティントボール３３８ならびに戻り止め凹所４０６および４０８は、係合可能な保持機構と総じて考えることができる。これによりブローヘッド組立体３０４をブローヘッドアーム組立体３００に対して所定の場所に保持する。実際には、ブローヘッド組立体３０４のブローヘッド取り付け部３９４の９０度を上回る回転は、図６９に最もよく示されるように、固定用フランジ３９８を阻むロールピン３２６によって防がれる。
【００５５】
[0098]ブローヘッドアーム組立体３００に対するブローヘッド組立体３０４の装着は、操作者の片手で行うことができ、ブローヘッド組立体３０４を装着するのに工具は必要とされないことが理解されよう。戻り止め凹所４０６および４０８も角度が付けられており、ばね３４０の力に対してディティントボール３３８を上方に押すのに十分な力でブローヘッド組立体３０４が回転できるようになっているので、ブローヘッド組立体３０４の取り外しは、同様のやり方で実現することができる。
【００５６】
[0099]最後に、図７２を参照すると、ブローヘッド３０４から冷却用空気を排出するために使用されるベントねじ４１２を示す追加の詳細が与えられる。ブローヘッド３０４から逃される冷却用空気の量を変更するために、異なる内径を有するベントねじ４１２が、それを通じての冷却用空気の流れを変更するように交換されてもよい。代替として、弁配置が、ベントねじ４１２を回転させることによってそれを通じての冷却用空気の流れを変えるブローヘッド取り付け部３９４中のベントねじ４１２および／または穴４１０の設計に含まれ得る。
【００５７】
[0100]したがって、本発明がブローヘッドをそれらのそれぞれのブローヘッド取り付け部材への装着およびブローヘッドの取り外しを容易にする装置および関連方法を提供することが、本発明の好ましい実施形態の上記詳細な説明から理解できる。このことについては、本発明の固定リング取り付け構成の装置および方法は、ブローヘッドの取り外しおよび交換のために工具を必要とせず、片手だけを用いてブローヘッドを取り外しおよび装着するのをさらに容易にする。加えて、固定リング取り付け構成の装置および方法は、ブローヘッド取り付け部材に対するブローヘッドの緩みを防ぐように予圧も与え、それによってブローヘッドの振動中の振れを防ぐと共に、ブローヘッドの摩耗を減少させる。最後に、本発明の固定リング取り付け構成の装置および方法は、かなりの関連した欠点を背負い込むことなく多数の利点を実現する。
【００５８】
[0101]本発明の前述の説明は、特定の実施形態およびその応用を参照して図示および説明されてきたが、それは、例示および説明のために提示されており、網羅的なものであることが意図されず、または本発明を特定の実施形態および開示した応用例に限定することが意図されない。本明細書に記載した本発明に対するいくつかの変更、修正、変形または改変が、本発明の精神または範囲から逸脱することなくなされ得ることが当業者には明らかであろう。特定の実施形態および応用例は、本発明の原理およびその実際的な応用例の最良の例示を与えて、それによって当業者が、様々な実施形態の中で考えられる特定の使用に適しているような様々な修正を伴って本発明を利用することが可能になるように選択および説明された。したがって、そのような全ての変更、修正、変形および改変は、範囲が公正、合法的および公平に与えられる広さに従って解釈されるときに添付の特許請求の範囲によって決定されるように本発明の範囲内にあると理解されるべきである。
【００５９】
[0102]本出願は、本明細書に添付された特許請求の範囲内の特徴の特定の組合せを挙げるが、本発明の様々な実施形態は、そのような組合せが現在クレームに記載されているかに関わりなく本明細書中に記載の特徴のいずれかの任意の組合せに関し、特徴の任意のそのような組合せは、本出願または将来の出願において主張される可能性がある。上述の例示的な実施形態のいずれかの特徴、要素または構成要素のいずれかは、単独で、または上述の他の実施形態のいずれかの特徴、要素または構成要素のいずれかと組み合わされてクレームに記載される可能性がある。
【符号の説明】
【００６０】
１００  ブローヘッドアーム組立体
１０２  垂直支柱
１０４  ブローヘッド組立体
１１０  上ブローヘッドアーム部材
１１２  円筒内部
１１４  円筒形スリーブ
１１６  ボルト
１１８  スライダ組立体
１２０  円筒上部
１２２  上側固定リング部分
１２４  ピストンリング
１２６  ピン
１２８  ワッシャ
１３０  ボルト
１３２  ばね
１３４  保持キャップ
１３６  下側固定リング組立体
１３８  ばね
１４０  リング
１４２  保持リング
１５０  小径上部、小径部分
１５２  大径下部
１５４  穴
１５６  対向した切り欠き、切り欠き
１５８  対向した切り欠き、切り欠き
１６０  環状溝
１６２  環状溝
１６４  中央通路
１６６  複数の通路
１７０  弓状係合フランジ
１７２  弓状係合フランジ
１７４  対向した切り欠き
１７６  対向した切り欠き
１７８  戻り止め凹所
１８０  戻り止め凹所
１８２  環状凹所
１９０  ブローヘッド部
１９２  円筒形のブローヘッドネック部、ブローヘッドネック部
１９４  ブローヘッド取り付け部
１９６  円筒凹所、固定用フランジ
１９８  固定用フランジ
２００  中央通路
２０２  複数の通路
２１２  平坦リング
２１４  保持リング
３００  ブローヘッドアーム組立体
３０２  垂直支柱
３０４  ブローヘッド組立体、ブローヘッド
３１０  上ブローヘッドアーム部材
３１２  円筒内部
３１４  円筒形スリーブ
３１５  タブ
３１６  ボルト
３１８  スライダ組立体
３２０  円筒上部
３２２  固定リング、固定リング部分
３２４  ピストンリング
３２６  ロールピン
３２８  ワッシャ
３３０  ボルト
３３２  ばね
３３４  保持キャップ
３３８  ディティントボール
３４０  ばね
３４２  保持用ねじ
３４４  主ブローヘッド部分
３４６  ブローヘッドスリーブ
３５０  戻り止め凹所
３５２  戻り止め凹所
３５４  穴
３５６  切り欠き
３５９  垂直スロット
３６０  環状溝
３６２  環状溝
３６４  中央通路
３６６  複数の通路
３７０  弓状係合フランジ
３７２  弓状係合フランジ
３８０  穴
３８４  穴
３９０  ブローヘッド部
３９２  ブローヘッドネック部
３９４  ブローヘッド取り付け部
３９６  円筒凹所、固定用フランジ、フランジ
３９８  固定用フランジ、フランジ
４００  中央通路
４０２  複数の通路、ブローヘッド部
４０４  複数の通路、通路
４０６  戻り止め凹所
４０８  戻り止め凹所
４１０  穴
４１２  ベントねじ
【図１】
2014224031.tif 000003
【図２】
2014224031.tif 000004
【図３】
2014224031.tif 000005
【図４】
2014224031.tif 000006
【図５】
2014224031.tif 000007
【図６】
2014224031.tif 000008
【図７】
2014224031.tif 000009
【図８】
2014224031.tif 000010
【図９】
2014224031.tif 000011
【図１０】
2014224031.tif 000012
【図１１】
2014224031.tif 000013
【図１２】
2014224031.tif 000014
【図１３】
2014224031.tif 000015
【図１４】
2014224031.tif 000016
【図１５】
2014224031.tif 000017
【図１６】
2014224031.tif 000018
【図１７】
2014224031.tif 000019
【図１８】
2014224031.tif 000020
【図１９】
2014224031.tif 000021
【図２０】
2014224031.tif 000022
【図２１】
2014224031.tif 000023
【図２２】
2014224031.tif 000024
【図２３】
2014224031.tif 000025
【図２４】
2014224031.tif 000026
【図２５】
2014224031.tif 000027
【図２６】
2014224031.tif 000028
【図２７】
2014224031.tif 000029
【図２８】
2014224031.tif 000030
【図２９】
2014224031.tif 000031
【図３０】
2014224031.tif 000032
【図３１】
2014224031.tif 000033
【図３２】
2014224031.tif 000034
【図３３】
2014224031.tif 000035
【図３４】
2014224031.tif 000036
【図３５】
2014224031.tif 000037
【図３６】
2014224031.tif 000038
【図３７】
2014224031.tif 000039
【図３８】
2014224031.tif 000040
【図３９】
2014224031.tif 000041
【図４０】
2014224031.tif 000042
【図４１】
2014224031.tif 000043
【図４２】
2014224031.tif 000044
【図４３】
2014224031.tif 000045
【図４４】
2014224031.tif 000046
【図４５】
2014224031.tif 000047
【図４６】
2014224031.tif 000048
【図４７】
2014224031.tif 000049
【図４８】
2014224031.tif 000050
【図４９】
2014224031.tif 000051
【図５０】
2014224031.tif 000052
【図５１】
2014224031.tif 000053
【図５２】
2014224031.tif 000054
【図５３】
2014224031.tif 000055
【図５４】
2014224031.tif 000056
【図５５】
2014224031.tif 000057
【図５６】
2014224031.tif 000058
【図５７】
2014224031.tif 000059
【図５８】
2014224031.tif 000060
【図５９】
2014224031.tif 000061
【図６０】
2014224031.tif 000062
【図６１】
2014224031.tif 000063
【図６２】
2014224031.tif 000064
【図６３】
2014224031.tif 000065
【図６４】
2014224031.tif 000066
【図６５】
2014224031.tif 000067
【図６６】
2014224031.tif 000068
【図６７】
2014224031.tif 000069
【図６８】
2014224031.tif 000070
【図６９】
2014224031.tif 000071
【図７０】
2014224031.tif 000072
【図７１】
2014224031.tif 000073
【図７２】
2014224031.tif 000074
【外国語明細書】
2014224031000001.pdf